(57)【特許請求の範囲】
【請求項１】
車両緊急信号の発生に応答して緊急通報センターへ緊急通報を行うための緊急通報ユニットと、
車内通信回線を介して前記緊急通報ユニットに接続されたオーディオ制御ユニットと、
このオーディオ制御ユニットに通信可能に接続されると共に前記オーディオ制御ユニットによる制御に基づいて車載スピーカを駆動するスピーカ駆動ユニットと、を備え、
前記車両緊急信号は、車両衝突検知に応答して発生する自動緊急信号と、乗員による通報スイッチの操作に応答して発生する手動緊急信号と、を含み、
前記緊急通報ユニットは、前記自動緊急信号に応答して、前記スピーカ駆動ユニットへの電源供給を遮断し、前記手動緊急信号に応答して、前記車載スピーカの音声出力を禁止又は低減させるための消音要求信号を前記オーディオ制御ユニットへ送信するように構成されている、緊急通報システム。
【請求項２】
前記緊急通報ユニットは、前記スピーカ駆動ユニットへの電源入力ラインに接続された入力スイッチを備えており、この遮断スイッチを切換えることにより、前記スピーカ駆動ユニットへの電源供給を遮断する、請求項１に記載の緊急通報システム。
【請求項３】
前記緊急通報ユニットは、前記手動緊急信号の受信に応答して、前記消音要求信号を複数回にわたって送信する、請求項１又は２に記載の緊急通報システム。
【請求項４】
前記緊急通報ユニットは、前記手動緊急信号の受信又は前記消音要求信号の送信から所定時間以内に、前記車載スピーカが消音された旨の消音確認信号を前記オーディオ制御ユニットから受信しない場合に、前記スピーカ駆動ユニットへの電源供給を遮断する、請求項１〜３のいずれか１項に記載の緊急通報システム。
【発明の詳細な説明】
【技術分野】
【０００１】
本発明は、緊急通報システムに係り、特に車両緊急時に車両から外部へ通報するための緊急通報システムに関する。
【背景技術】
【０００２】
従来、車両の衝突や乗員の体調不良等の緊急時に、車両から特定の緊急通報センターへ緊急通報を行うための緊急通報システムが知られている（例えば、特許文献１参照）。このような緊急通報システムでは、緊急時に緊急通報センターとの間の通信回線を確立し、車両の位置情報等を緊急通報センターへ通信すると共に、乗員と緊急通報センターのオペレータとの間の通話を可能とする。
【０００３】
特許文献１に記載の緊急通報システムでは、車両衝突等に応答してエアバッグ装置等から車両緊急信号（自動緊急信号）が出力される場合と、乗員が手動緊急スイッチを操作して車両緊急信号（手動緊急信号）が出力される場合に、緊急通報システムが作動して、緊急通報センターとの間で通信回線が確立されるようになっている。
【０００４】
また、特許文献１に記載の緊急通報システムでは、車載スピーカから出力される音楽等の音声が乗員とオペレータとの間の通話の妨げとなるおそれがあるため、緊急通話中には車載スピーカによる音声出力を禁止したり、音量を低減したりするようになっている。具体的には、緊急通報システムでは、緊急時に緊急通報ユニットがエアバッグ装置からエアバッグ展開信号（車両緊急信号）を受信すると、緊急通報ユニットから車載オーディオ装置へＣＡＮ（車内ＬＡＮ）を介して音声出力を禁止するための消音要求信号が出力される。車載オーディオ装置では、受信した消音要求信号に基づいて、車載スピーカからの音声出力を禁止又は抑制することができる。
【先行技術文献】
【特許文献】
【０００５】
【特許文献１】特開２００９−２９０７８９号公報
【発明の概要】
【発明が解決しようとする課題】
【０００６】
しかしながら、車両衝突等により自動的に緊急通報システムが作動する自動緊急通報時には、通信ライン（ＣＡＮ）の断線等が発生しているおそれがあり、緊急通報ユニットが消音要求信号を送信しても、車載スピーカからの音声出力が禁止又は抑制されない場合が生じ得る。また、車載オーディオ装置の配線の一部が断線して車両ボディ等と接触した場合には、車載スピーカから大音量のノイズが発生する事態が生じ得る。
【０００７】
そこで、本発明者は、緊急時において確実に車載スピーカを消音するため、緊急通報ユニットが車載オーディオ装置を構成するスピーカ駆動ユニット（アンプユニット）の電源を強制的に遮断する構成を考案した。即ち、車載スピーカを直接駆動するスピーカ駆動ユニットへの電源供給を遮断することが、音声出力を禁止するのに確実である。
【０００８】
ところが、更なる研究において、上記構成では緊急時に確実に消音することができるものの、以下のような問題が生じることが明らかになった。一般に、車載オーディオ装置は、通常の作動時において、オーディオ制御ユニットから音声信号をスピーカ駆動ユニットへ送信し、スピーカ駆動ユニットが音声信号を増幅して車載スピーカを駆動することによって、車載スピーカから音声を発生させている。
【０００９】
自動通報による緊急通報の終了後（即ち、オペレータとの通話終了後）には、例えば、車両衝突が発生しているため、乗員は車載オーディオ装置を再び作動させようとする可能性は低い。一方、乗員が手動緊急スイッチを操作した手動緊急通報時には、緊急通報の終了後、乗員はＴＶやラジオ等の視聴のため車載オーディオ装置を再び作動させようとするであろう。
【００１０】
しかしながら、上述のようにスピーカ駆動ユニットを強制的にシャットダウンさせて車載スピーカを消音させると、車載オーディオ装置を再び作動させたくても、スピーカ駆動ユニットへの再起動等に手間が掛ってしまったり、スピーカ駆動ユニットの再起動自体が不能になったりするという問題が生じ得る。
【００１１】
本発明は、このような課題を解決するためになされたものであり、緊急通報時において、通話の妨げになる音声出力を確実に消音すると共に、少なくとも手動緊急通報時には緊急通報終了後に車載スピーカの音声出力を再開させることが可能な緊急通報システムを提供することを目的としている。
【課題を解決するための手段】
【００１２】
上記の目的を達成するために、本発明は、車両緊急信号の発生に応答して緊急通報センターへ緊急通報を行うための緊急通報ユニットと、車内通信回線を介して緊急通報ユニットに接続されたオーディオ制御ユニットと、このオーディオ制御ユニットに通信可能に接続されると共にオーディオ制御ユニットによる制御に基づいて車載スピーカを駆動するスピーカ駆動ユニットと、を備え、車両緊急信号は、車両衝突検知に応答して発生する自動緊急信号と、乗員による通報スイッチの操作に応答して発生する手動緊急信号と、を含み、緊急通報ユニットは、自動緊急信号に応答して、スピーカ駆動ユニットへの電源供給を遮断し、手動緊急信号に応答して、車載スピーカの音声出力を禁止又は低減させるための消音要求信号をオーディオ制御ユニットへ送信するように構成されていることを特徴としている。
【００１３】
このように構成された本発明によれば、車両衝突検知により開始される自動緊急通報時には、緊急通報ユニットによってスピーカ駆動ユニットへの電源供給が遮断されるので、緊急通話時中に通話の妨げとなる車載スピーカの音声出力を確実に消音することができる。一方、本発明では、乗員が通報スイッチを操作して開始される手動緊急通報時には、緊急通報ユニットからオーディオ制御ユニットへ消音要求信号が送信されるので、車載スピーカを消音することができる。
【００１４】
本発明では、手動緊急通報時においては、車両構成ユニットや車内通信回線には不具合は生じていないと考えられるので、緊急通報ユニットからオーディオ制御ユニットへ消音要求信号を送信することにより、即ち、通信処理により車載スピーカを消音することができる。
【００１５】
一方、本発明では、自動緊急通報時には、車両衝突により、車両構成ユニットに故障又は不具合が生じていたり、車内通信回線が断線していたりするおそれがあるため、消音要求信号を送信しても車載スピーカを消音することができないおそれがある。このため、本発明では、自動緊急通報時には、スピーカ駆動ユニットへの電源供給を遮断することにより、迅速かつ確実に車載スピーカを消音している。
【００１６】
また、本発明では、手動緊急通報時には、スピーカ駆動ユニットを強制的にシャットダウンさせるよりも、消音要求信号の送信を優先させることにより、緊急通報終了後にスピーカ駆動ユニットを再起動する必要がなくなる。これにより、本発明では、手動緊急通報終了後には即座にスピーカ駆動ユニットを使用して、車載スピーカからの音声出力を再開させることができる。
【００１７】
また、本発明において好ましくは、緊急通報ユニットは、スピーカ駆動ユニットへの電源入力ラインに接続された入力スイッチを備えており、この遮断スイッチを切換えることにより、スピーカ駆動ユニットへの電源供給を遮断する。
このように構成された本発明によれば、緊急通報ユニットが入力スイッチを切換えることにより、スピーカ駆動ユニットへの電源供給を遮断することができるので、車両緊急時に確実に車載スピーカを消音させることができる。
【００１８】
また、本発明において好ましくは、緊急通報ユニットは、手動緊急信号の受信に応答して、消音要求信号を複数回にわたって送信する。
このように構成された本発明によれば、緊急通報ユニットは、消音要求信号を複数回にわたって送信するので、車内通信回線に異常が発生していなければ、オーディオ制御ユニットは消音要求信号を高い可能性で受信することができる。これにより、本発明では、車両緊急時において、正常な通信処理によって車載スピーカを消音させる確率を高めることができる。
【００１９】
また、本発明において好ましくは、緊急通報ユニットは、手動緊急信号の受信又は消音要求信号の送信から所定時間以内に、車載スピーカが消音された旨の消音確認信号をオーディオ制御ユニットから受信しない場合に、スピーカ駆動ユニットへの電源供給を遮断する。
このように構成された本発明によれば、手動緊急通報時には、車内通信回線や関連ユニットが正常に動作すると考えられるので、所定時間以内に消音確認信号を受信して車載スピーカの消音を確認できるはずである。しかしながら、本発明では、万一何らかの異常が発生して、所定時間以内に消音確認信号を受信することができない場合であっても、スピーカ駆動ユニットへの電源供給を遮断することにより、緊急通話中に車載スピーカを確実に消音することができる。
【発明の効果】
【００２０】
本発明の緊急通報システムによれば、緊急通報時において、通話の妨げになる音声出力を確実に消音すると共に、少なくとも手動緊急通報時には緊急通報終了後に車載スピーカの音声出力を再開させることができる。
【図面の簡単な説明】
【００２１】
【図１】本発明の実施形態の緊急通報システムの説明図である。
【図２】本発明の実施形態の緊急通報システムの構成を示す説明図である。
【図３】本発明の実施形態の緊急通報ユニットの電気ブロック図である。
【図４】本発明の実施形態の緊急通報システムの手動緊急通報時における消音処理及び電源遮断処理の説明図である。
【図５】本発明の実施形態の緊急通報システムの手動緊急通報時における消音処理及び電源遮断処理の処理フローである。
【図６】本発明の実施形態の緊急通報システムの自動緊急通報時における電源遮断処理及び電源回復処理の説明図である。
【図７】本発明の実施形態の緊急通報システムの自動緊急通報時における電源遮断処理及び電源回復処理の処理フローである。
【図８】本発明の実施形態の緊急通報システムの手動緊急通報後の消音解除処理及び電源回復処理の説明図である。
【図９】本発明の実施形態の緊急通報システムの手動緊急通報後の消音解除処理及び電源回復処理の処理フローである。
【発明を実施するための形態】
【００２２】
以下、添付図面を参照して本発明の実施形態について説明する。
まず、図１及び図２を参照して、本発明の実施形態の緊急通報システムの概要を説明する。図１は緊急通報システムの説明図、図２は緊急通報システムの構成を示す説明図である。
図１に示すように、緊急通報システムＳを備えた車両１は、緊急時（例えば、車両衝突や乗員の急病等）、基地局３及び通信回線網４を介して緊急通報センター２との間で通信回線を確立可能に構成されている。車両１は、ＧＰＳ衛星５を用いて自車の現在位置情報を取得し、確立された通信回線を介して、現在位置情報や車両識別情報等をデータ通信する。また、乗員と緊急通報センター２のオペレータとの間で音声通話が可能となる。これにより、緊急通報センター２を介して、救急車の手配等の必要な処置を迅速に行うことができる。
【００２３】
図２に示すように、緊急通報システムＳは、緊急通報ユニット１０と、オーディオ制御ユニット３０と、車載スピーカ４２に接続されたスピーカ駆動ユニット４０とを備えている。
緊急通報ユニット１０は、車両緊急時に緊急通報センター２との間で緊急通報処理を実行するように構成されている。オーディオ制御ユニット３０は、ＴＶ，ラジオ，音楽メディア，ナビゲーションシステム等の音声信号をスピーカ駆動ユニット４０へ出力すると共に、いわゆるオーディオアンプであるスピーカ駆動ユニット４０を制御する。スピーカ駆動ユニット４０は、オーディオ制御ユニット３０からの制御信号に基づいて、受信した音声信号を増幅して車載スピーカ４２を駆動することにより車載スピーカ４２から音声を出力させる。
【００２４】
緊急通報ユニット１０とオーディオ制御ユニット３０は、車内通信回線５０（例えば、車内ＬＡＮ（Local Area Network）であるＣＡＮ）に接続されており、互いに通信可能となっている。また、オーディオ制御ユニット３０とスピーカ駆動ユニット４０は、別のサブ通信回線５２で接続されており、互いに通信可能となっている。
【００２５】
本実施形態の緊急通報システムＳでは、緊急通報処理を実行する際に、通話の妨げとなる車載スピーカ４２からの音声出力を禁止又は低減する消音処理及び電源遮断処理が実行されるように構成されている。このため、緊急通報ユニット１０は、消音制御部２１及び電源制御部２３を備えている。
【００２６】
消音制御部２１は、車両緊急信号に応答して、緊急通報処理の実行中に車載スピーカ４２を消音する消音処理を実行する。また、消音制御部２１は、緊急通報処理の終了後に車載スピーカ４２の消音を解除する消音解除処理を実行する。
【００２７】
電源制御部２３は、車載スピーカ４２を直接駆動するスピーカ駆動ユニット４０の電源供給を遮断する電源遮断処理を実行する。また、電源制御部２３は、緊急通報処理の終了後に車載スピーカ４２の電源供給を再開する電源回復処理を実行する。
【００２８】
本実施形態では、スピーカ駆動ユニット４０は、スピーカ電源入力ライン４４が高電位であるときに、電源オンとなり作動するように構成されている。スピーカ電源入力ライン４４は、緊急通報ユニット１０内の入力スイッチ２４を介して、ＡＣＣ電源ライン５６に接続されている。入力スイッチ２４は、常時は閉状態に維持されている。このため、車両１の起動時にＡＣＣ電源ライン５６に電源供給されると、スピーカ電源入力ライン４４は高電位となり、スピーカ駆動ユニット４０は作動可能となる。
【００２９】
一方、緊急通報ユニット１０の電源制御部２３は、所定条件が満足されると、入力スイッチ２４を閉状態から開状態へ切換える。入力スイッチ２４が開状態に切換えられると、スピーカ電源入力ライン４４は低電位となるため、スピーカ駆動ユニット４０への電源供給がオフとなって、スピーカ駆動ユニット４０は作動を停止する。
【００３０】
なお、スピーカ駆動ユニット４０は、スピーカ電源入力ライン４４自体から電力供給を受けるように構成されていてもよいし、スピーカ電源入力ライン４４が高電位であるときにスピーカ駆動ユニット４０内の内部スイッチが作動して、他の電源供給ラインから電力が供給されるように構成されていてもよい。
【００３１】
次に、図３を参照して、本実施形態の緊急通報ユニットの構成を説明する。図３は、緊急通報ユニットの電気ブロック図である。
図３に示すように、緊急通報ユニット１０は、制御部１１と、測位モジュール１２と、無線通信処理部１３と、記憶部１４と、音処理部１５と、手動通報スイッチ１８と、補助バッテリ１９と、電源部２０とを備えている。
制御部１１は、例えばＣＰＵ等で構成されており、車両緊急信号に応答して、緊急通報処理や消音処理等を実行する。制御部１１は、消音制御部２１及び電源制御部２３を構成する。
【００３２】
測位モジュール１２は、ＧＰＳ衛星５からＧＰＳ信号を受信して現在位置情報を取得する。無線通信処理部１３は、基地局３及び通信回線網４を介して、緊急通報センター２との間で無線通信（データ通信及び音声通信）を行う。記憶部１４は、車両識別情報や緊急通報センター２の通信アドレス（電話番号）等を格納する。
【００３３】
音処理部１５は、車内に配置されたマイク１６及びスピーカ１７に接続されており、乗員が緊急通報センター２のオペレータと通話する際に、音声信号と電気信号との間で変換処理を行うように構成されている。
手動通報スイッチ１８は、乗員の急病等により緊急通報センター２へ通報する必要が生じた場合に、乗員が操作することにより、車両緊急信号を制御部１１へ入力可能に構成されている。
【００３４】
補助バッテリ１９は、一次バッテリであり、常時は使用されることなく、外部電源消失時に、外部電源に代わって所定期間だけ緊急通報処理等のための電源として機能することができる。
電源部２０は、車両１に搭載された車両バッテリ５４に接続されており、常時は、車両バッテリ５４から電力供給を受けて、制御部１１，測位モジュール１２，無線通信処理部１３，記憶部１４，音処理部１５等に、それぞれ所定の電力を供給する。
【００３５】
また、緊急通報ユニット１０は、図示しないインタフェース回路を介して車内通信回線５０に接続されている。車内通信回線５０には、車両１内の種々のＥＣＵが接続されており、これらＥＣＵは車内通信回線５０を介して通信データの送受信を行う。例えば、車内通信回線５０には、エアバッグＥＣＵ５５が接続されている。
【００３６】
エアバッグＥＣＵ５５は、図示しない加速度センサ等を用いて車両１の衝突を検知する衝突検知センサを備え、車両衝突を検知した場合に、エアバッグを所定の態様で展開するように構成されている。このとき、エアバッグＥＣＵ５５は、車両緊急信号である衝突検知信号を車内通信回線５０を介して送信する。緊急通報ユニット１０は、車内通信回線５０上の衝突検知信号を車両緊急信号として読み取ることができる。
【００３７】
緊急通報ユニット１０は、車両緊急信号の受信に応答して緊急通報処理を実行する。具体的には、制御部１１は、無線通信処理部１３を介して、記憶部１４に格納されていた通信アドレスの緊急通報センター２と車両１との間の通信回線を確立し、所定のデータ通信（現在位置情報、車両識別情報等）を行うと共に、緊急通報センター２との音声通話を可能とする。そして、例えば、緊急通報センター２のオペレータが電話機をオンフックして、通信回線が切断されると、緊急通報センター２との間の緊急通報が終了する。
【００３８】
次に、図４及び図５を参照して、本実施形態の緊急通報システムにおける手動緊急通報時における消音処理及び電源遮断処理について説明する。図４は手動緊急通報時における消音処理及び電源遮断処理の説明図、図５は手動緊急通報時における消音処理及び電源遮断処理の処理フローである。
図４では、例えば、車両走行中に乗員がオーディオ制御ユニット３０を操作して、車載スピーカ４２から音楽を聴いていたときに、手動通報スイッチ１８の操作（図５参照）により、車両緊急信号が緊急通報ユニット１０に入力した状況を想定している。
【００３９】
図５に示すように、手動緊急通報時においては、乗員が手動通報スイッチ１８を押下すると、手動通報スイッチ１８が押下されたことを示すスイッチＯＮ信号が緊急通報ユニット１０へ出力される。緊急通報ユニット１０は、スイッチオン信号に基づいてスイッチ押下判定処理を実行する。即ち、スイッチ押下判定処理では、スイッチオン信号が誤って押下された場合に緊急通報処理が実行されないように、スイッチオン信号が所定期間（例えば、２００ｍ秒）以上、押下されたか否かが判定される。そして、所定期間経過後に乗員が手動通報スイッチ１８を離すと、手動通報スイッチ１８の押下が解除されたことを示すスイッチＯＦＦ信号が緊急通報ユニット１０へ出力される。
【００４０】
なお、本実施形態では、手動通報スイッチ１８は、常時、通常位置に向けて付勢されるように構成されたモーメンタリスイッチである。乗員がこの付勢力に抗して手動通報スイッチ１８を指で押し込んでいる間だけスイッチＯＮ信号が出力される。したがって、指を離すと操作が終了し、付勢力により手動通報スイッチ１８は通常位置に戻る。よって、手動通報スイッチ１８が押下されていない通常時には、スイッチＯＦＦ信号が緊急通報ユニット１０へ出力される。
【００４１】
スイッチ押下判定処理において、スイッチＯＮ信号が所定期間以上入力されたことを判定した後、スイッチＯＦＦ信号が入力すると、緊急通報ユニット１０は、手動通報開始処理においてスイッチＯＦＦ信号を車両緊急信号Ａ（手動緊急信号）として処理し、緊急通報処理等を開始する。即ち、手動緊急通報時においては、スイッチＯＦＦ信号（又はスイッチＯＮ信号からスイッチＯＦＦ信号への切換り）が車両緊急信号Ａに相当する。なお、上記構成に限らず、手動通報スイッチ１８の押下によるスイッチＯＮ信号の入力を、車両緊急信号Ａの受信としてもよい。
【００４２】
図４（Ａ）に示すように、緊急通報ユニット１０（消音制御部２１）は、車両緊急信号Ａを受信すると、車載スピーカ４２に対する消音要求を表す消音要求信号Ｂをオーディオ制御ユニット３０へ車内通信回線５０を介して送信する。このとき、緊急通報ユニット１０は、消音確認信号Ｅを受信するまで、最大で最初の消音要求信号Ｂの送信から所定時間ｔ（例えば、ｔは１秒）の間、消音要求信号Ｂを複数回にわたって定期的に送信する（図５参照）。
【００４３】
図４（Ｂ）に示すように、オーディオ制御ユニット３０は、消音要求信号Ｂを受信すると、車載スピーカ４２の消音の指令を表す消音指令信号Ｃを生成し（図５の「ＧＡＴＥ  ＷＡＹ」参照）、所定の遅延時間以内に消音指令信号Ｃをスピーカ駆動ユニット４０へサブ通信回線５２を介して送信する。
【００４４】
スピーカ駆動ユニット４０は、消音指令信号Ｃを受信すると、車載スピーカ４２への音声信号出力を停止するか、音声信号の増幅率をゼロ又は低減することにより、車載スピーカ４２を消音する。なお、本明細書において、消音とは、車載スピーカの音声出力を禁止して無音状態にすること、及び、車載スピーカの音声出力を所定の音量以下に低減した状態にすることを含む。
【００４５】
図４（Ｃ）に示すように、スピーカ駆動ユニット４０は、車載スピーカ４２を消音すると、消音指令信号Ｃの受信から車載スピーカ４２を消音するまでに必要な処理時間及び所定の遅延時間が経過する前に（図５参照）、車載スピーカ４２が消音された旨を表すステータス信号Ｄをオーディオ制御ユニット３０へサブ通信回線５２を介して送信する。このステータス信号Ｄは、定期的又は消音指令信号Ｃに応答して送信されるものであり、種々の作動パラメータのステータス（音量、消音のオン／オフ、内部電圧値、内部スイッチ位置等）を含む。図４（Ｃ）のステータス信号Ｄでは、車載スピーカ４２が消音されているので、消音ステータスがオンとなる。
【００４６】
図４（Ｄ）に示すように、オーディオ制御ユニット３０は、ステータス信号Ｄを受信し、この信号中の消音ステータスがオンであることを確認すると、車載スピーカ４２が消音された旨を表す消音確認信号Ｅを作成し（図５の「ＧＡＴＥ  ＷＡＹ」参照）、所定の遅延時間以内に消音確認信号Ｅを緊急通報ユニット１０へ車内通信回線５０を介して送信する。
【００４７】
緊急通報ユニット１０（消音制御部２１）は、車両緊急信号Ａの受信又は最初の消音要求信号Ｂの送信から所定時間ｔ（例えば、ｔは１秒）内に消音確認信号Ｅを受信することにより、緊急通報処理の開始に際して、車載スピーカ４２が消音されたことを確認することができる。
【００４８】
一方、車内通信回線５０やサブ通信回線５２の断線や、オーディオ制御ユニット３０，スピーカ駆動ユニット４０の不具合により、所定時間ｔ以内に緊急通報ユニット１０が消音確認信号Ｅを受信できない場合が生じ得る。この場合、所定時間ｔが経過すると、緊急通報ユニット１０（電源制御部２３）は、図４（Ｅ）に示すように、入力スイッチ２４を閉状態から開状態へ切換える（電源遮断処理）。これにより、スピーカ電源入力ライン４４の電位が低電位となるので、スピーカ駆動ユニット４０は作動を停止する（図５の「ＡＣＣ  ＯＦＦ」参照）。そして、スピーカ駆動ユニット４０が作動を停止することにより、車載スピーカ４２が消音される。
【００４９】
次に、図６及び図７を参照して、本実施形態の緊急通報システムにおける自動緊急通報時における電源遮断処理について説明する。図６は自動緊急通報時における電源遮断処理及び電源回復処理の説明図、図７は自動緊急通報時における電源遮断処理及び電源回復処理の処理フローである。
図６では、例えば、車両走行中に乗員がオーディオ制御ユニット３０を操作して、車載スピーカ４２から音楽を聴いていたときに、車両衝突検知（図７参照）により、車両緊急信号が緊急通報ユニット１０に入力した状況を想定している。
【００５０】
図７に示すように、自動緊急通報時においては、エアバッグＥＣＵ５５は、車両衝突検知センサの検知信号に基づいて衝突判定処理を行い、車両１が衝突したと判定すると、車内通信回線５０を介して車両緊急信号ａ（自動緊急信号）を送信する。なお、エアバッグＥＣＵ５５は、この車両緊急信号ａを数秒間にわたって複数回送信し続ける。
【００５１】
緊急通報ユニット１０は、複数回送信された車両緊急信号ａのいずれかを受信すると、自動通報判定処理を実行する。即ち、受信した信号が車両緊急信号ａであるか否かが判定される。自動通報判定処理において、受信した信号が車両緊急信号ａであると判定されると、緊急通報ユニット１０は、緊急通報処理等の処理を開始する。
【００５２】
図６（Ａ）に示すように、緊急通報ユニット１０（電源制御部２３）は、車両緊急信号ａを車内通信回線５０を介して受信すると、入力スイッチ２４を閉状態から開状態へ切換える（電源遮断処理）。なお、このとき、消音制御部２１は、消音要求信号Ｂをオーディオ制御ユニット３０へ送信しない。これにより、スピーカ電源入力ライン４４の電位が低電位となるので、スピーカ駆動ユニット４０は作動を停止する（図７の「ＡＣＣ  ＯＦＦ」参照）。そして、スピーカ駆動ユニット４０が作動を停止することにより、車載スピーカ４２が消音される。
【００５３】
次に、図８及び図９を参照して、手動緊急通報時の緊急通報処理の終了後に実行される消音解除処理及び電源回復処理について説明する。図８は手動緊急通報後の消音解除処理及び電源回復処理の説明図、図９は手動緊急通報後の消音解除処理及び電源回復処理の処理フローである。
図８（Ａ）に示すように、緊急通報処理が終了すると、消音処理において入力スイッチ２４が開状態に切換えられていた場合には（図４（Ｅ）参照）、緊急通報ユニット１０（電源制御部２３）は、所定の遅延時間以内に入力スイッチ２４を閉状態に戻す。これにより、スピーカ駆動ユニット４０は電源オンとなり起動処理を開始する（図９の「ＡＣＣ  ＯＮ」参照）。緊急通報ユニット１０は、スピーカ駆動ユニット４０の起動処理の終了を所定待機時間だけ待機する。
【００５４】
図８（Ｂ）に示すように、入力スイッチ２４が開状態に切換えられていなかった場合及び入力スイッチ２４が閉状態に戻された場合（図８（Ａ）参照）、緊急通報ユニット１０（消音制御部２１）は、車載スピーカ４２の消音解除の要求を表す消音解除要求信号ｂをオーディオ制御ユニット３０へ車内通信回線５０を介して送信する。このとき、緊急通報ユニット１０は、消音解除確認信号ｅを受信するまでは、最大で消音解除要求信号ｂを所定の複数回数ｘ（例えば、ｘは３０回）だけ定期的に送信する（図９参照）。
【００５５】
図８（Ｃ）に示すように、オーディオ制御ユニット３０は、消音解除要求信号ｂを受信すると、車載スピーカ４２の消音解除の指令を表す消音解除指令信号ｃを生成し（図９の「ＧＡＴＥ  ＷＡＹ」参照）、所定の遅延時間以内に消音解除指令信号ｃをスピーカ駆動ユニット４０へサブ通信回線５２を介して送信する。
【００５６】
スピーカ駆動ユニット４０は、消音解除指令信号ｃを受信すると、車載スピーカ４２への音声信号出力を再開するか、音声信号の増幅率を戻すことにより、車載スピーカ４２を駆動し消音を解除する。これにより、車載スピーカ４２は、音声出力を再開する。
【００５７】
図８（Ｄ）に示すように、スピーカ駆動ユニット４０は、車載スピーカ４２の消音を解除すると、消音解除指令信号ｃの受信から車載スピーカ４２が消音を解除するまでに必要な処理時間及び所定の遅延時間が経過する前に（図９参照）、車載スピーカ４２の消音が解除された旨を表すステータス信号ｄをオーディオ制御ユニット３０へサブ通信回線５２を介して送信する。このステータス信号ｄでは、車載スピーカ４２の消音が解除されているので、消音ステータスがオフとなる。
【００５８】
図８（Ｅ）に示すように、オーディオ制御ユニット３０は、ステータス信号ｄを受信し、この信号中の消音ステータスがオフであることを確認すると、車載スピーカ４２の消音が解除された旨を表す消音解除確認信号ｅを作成し（図９の「ＧＡＴＥ  ＷＡＹ」参照）、所定の遅延時間以内に消音解除確認信号ｅを緊急通報ユニット１０へ車内通信回線５０を介して送信する。
【００５９】
緊急通報ユニット１０（消音制御部２１）は、緊急通報処理の終了から所定時間（例えば、２秒）内に消音解除確認信号ｅを受信することにより、車載スピーカ４２の消音が解除されたことを確認することができる。
【００６０】
次に、再び図６及び図７を参照して、自動緊急通報時の緊急通報処理の終了後に実行される電源回復処理について説明する。
図６（Ｂ）に示すように、緊急通報処理が終了すると、電源遮断処理により入力スイッチ２４が開状態に切換えられているので（図６（Ａ）参照）、緊急通報ユニット１０（電源制御部２３）は、入力スイッチ２４を閉状態に戻す。これにより、スピーカ駆動ユニット４０は電源オンとなり起動処理を開始する（図７の「ＡＣＣ  ＯＮ」参照）。これにより、車載スピーカ４２は、音声出力を再開可能となる。
【００６１】
次に、本実施形態の緊急通報システムの作用について説明する。
本実施形態では、車両衝突検知により開始される自動緊急通報時には、緊急通報ユニット１０によってスピーカ駆動ユニット４０への電源供給が遮断されるので、緊急通話時中に通話の妨げとなる車載スピーカ４２の音声出力を確実に消音することができる。一方、本実施形態では、乗員が手動通報スイッチ１８を操作して開始される手動緊急通報時には、緊急通報ユニット１０からオーディオ制御ユニット３０へ消音要求信号Ｂが送信されるので、車載スピーカ４２を消音することができる。
【００６２】
本実施形態では、手動緊急通報時においては、緊急通報ユニット１０、オーディオ制御ユニット３０、スピーカ駆動ユニット４０等の車両構成ユニットや車内通信回線５０には不具合は生じていないと考えられるので、緊急通報ユニット１０からオーディオ制御ユニット３０へ消音要求信号Ｂを送信することにより、即ち、通信処理により車載スピーカ４２を消音することができる。
【００６３】
一方、本実施形態では、自動緊急通報時には、車両衝突により、車両構成ユニットに故障又は不具合が生じていたり、車内通信回線５０が断線していたりするおそれがあるため、消音要求信号Ｂを送信しても車載スピーカ４２を消音することができないおそれがある。このため、本実施形態では、自動緊急通報時には、スピーカ駆動ユニット４０への電源供給を遮断することにより、迅速かつ確実に車載スピーカ４２を消音している。
【００６４】
また、本実施形態では、手動緊急通報時には、スピーカ駆動ユニット４０を強制的にシャットダウンさせるよりも、消音要求信号Ｂの送信を優先させることにより、緊急通報終了後にスピーカ駆動ユニット４０を再起動する必要がなくなる。これにより、本実施形態では、手動緊急通報終了後には即座にスピーカ駆動ユニット４０を使用して、車載スピーカ４２からの音声出力を再開させることができる。
【００６５】
また、本実施形態では、緊急通報ユニット１０が入力スイッチ２４を切換えることにより、スピーカ駆動ユニット４０への電源供給を遮断することができるので、車両緊急時に確実に車載スピーカ４２を消音させることができる。
【００６６】
また、本実施形態では、緊急通報ユニット１０は、消音要求信号Ｂを複数回にわたって送信するので、車内通信回線５０に異常が発生していなければ、オーディオ制御ユニット３０は消音要求信号Ｂを高い可能性で受信することができる。これにより、本実施形態では、車両緊急時において、正常な通信処理によって車載スピーカ４２を消音させる確率を高めることができる。
【００６７】
また、本実施形態では、手動緊急通報時には、車内通信回線５０や関連ユニットが正常に動作すると考えられるので、所定時間ｔ以内に消音確認信号Ｅを受信して車載スピーカ４２の消音を確認できるはずである。しかしながら、本実施形態では、万一何らかの異常が発生して、所定時間ｔ以内に消音確認信号Ｅを受信することができない場合であっても、スピーカ駆動ユニット４０への電源供給を遮断することにより、緊急通話中に車載スピーカ４２を確実に消音することができる。
【符号の説明】
【００６８】
１    車両
２    緊急通報センター
４    通信回線網
１０    緊急通報ユニット
１１    制御部
１８    手動通報スイッチ
２１    消音制御部
２３    電源制御部
２４    入力スイッチ
３０    オーディオ制御ユニット
４０    スピーカ駆動ユニット
４２    車載スピーカ
４４    スピーカ電源入力ライン
５０    車内通信回線
５２    サブ通信回線
５４    車両バッテリ
５５    エアバッグＥＣＵ
５６    電源ライン
Ａ，ａ  車両緊急信号
Ｂ      消音要求信号
ｂ      消音解除要求信号
Ｃ      消音指令信号
ｃ      消音解除指令信号
Ｄ，ｄ  ステータス信号
Ｅ      消音確認信号
ｅ      消音解除確認信号
Ｓ      緊急通報システム
【図１】
0006341467.tif 000002
【図２】
0006341467.tif 000003
【図３】
0006341467.tif 000004
【図４】
0006341467.tif 000005
【図５】
0006341467.tif 000006
【図６】
0006341467.tif 000007
【図７】
0006341467.tif 000008
【図８】
0006341467.tif 000009
【図９】
0006341467.tif 000010